(57)【要約】【課題】  従来の土木用袋体をそのまま利用しても、従来の土木工事用袋体設置時に問題となっていた波浪などの外力による中詰め材の移動、袋体の摩耗による破損を防止する技術を提供する。【解決手段】  合成繊維ネットを用いてなる袋体であって、中詰め材２が充填されている土木工事用袋体１において、袋体のうち中詰め材による荷重が直接作用していないネット部分と、中詰め材による荷重が直接作用しているネット部分とを、ロープ状物又はベルト状物３を用いて連結して、中詰め材による荷重が直接作用していないネット部分に張力を作用させることにより、中詰め材の袋体内部での移動が抑制されたものであることを特徴とする土木工事用構造体。【選択図】  図１
2006097362.tif 000002
【特許請求の範囲】
【請求項１】
合成繊維ネットを用いてなる袋体であって、中詰め材が充填されている土木工事用袋体において、袋体のうち中詰め材による荷重が直接作用していないネット部分と、中詰め材による荷重が直接作用しているネット部分とを、ロープ状物又はベルト状物を用いて連結して、中詰め材による荷重が直接作用していないネット部分に張力を作用させることにより、中詰め材の袋体内部での移動が抑制されたものであることを特徴とする土木工事用構造体。
【請求項２】
合成繊維ネットを用いてなる袋体であって、中詰め材が充填されている複数の土木工事用袋体において、一の袋体のうち中詰め材による荷重が直接作用していないネット部分と、他の袋体のうち中詰め材による荷重が直接作用しているネット部分とを、ロープ状物又はベルト状物を用いて連結して、上記一の袋体のうち中詰め材による荷重が直接作用していないネット部分に張力を作用させることにより、中詰め材の袋体内部での移動が抑制されたものであることを特徴とする土木工事用構造体。
【請求項３】
ロープ又状物又はベルト状物が、伸縮性を有するものであることを特徴とする請求項1又は２に記載の土木工事用構造体。
【請求項４】
ロープ又状物又はベルト状物が、ネット部分に固定するための治具を両端に有し、かつ、長さを調整可能にするための締め具を装着されてなるものであることを特長とする請求項1〜３いずれかに記載の土木工事用構造体。
【発明の詳細な説明】
【技術分野】
【０００１】
本発明は、中詰め材の充填された土木工事用袋体を用いて構築され、河川や海岸の洗掘防止、侵食防止、護岸もしくは防波堤として使用できる土木工事用構造体に関するものである。
【背景技術】
【０００２】
従来、河川や海岸の洗掘防止、侵食防止、護岸もしくは防波堤として蛇籠や籠マットが使用されてきたが、近年では、地面や川底・海底面の凹凸形状に追随できる利点から、砕石などの中詰め材を充填して使用する合成繊維ネット製の土木工事用袋体が多用されてきている。しかし、この土木用袋体は、特に海岸などの波浪条件が厳しい条件で使用されると、波力によって袋体内に充填されている中詰め材が移動したり、袋体を構成する合成繊維が中詰め材に頻繁に接触、摩耗されることにより袋体が破損するという問題があった。この問題を解決する改良技術として、袋体の内部構造を工夫して、袋体の内部に中仕切を配置した土木工事用袋体（特許文献1参照）や、袋体の底部から口部を通って外に引き出され、底部と口部とを連結する中繋ぎ材を設けた土木工事用袋体（特許文献2参照）が提案されている。
【特許文献１】特開2003-129443
【特許文献２】特開2003-129444
【発明の開示】
【発明が解決しようとする課題】
【０００３】
本発明は、土木工事用袋体の構造を工夫した上記の改良技術とは趣を異にし、従来の土木用袋体をそのまま利用しても、従来の土木工事用袋体設置時に問題となっていた波浪などの外力による中詰め材の移動、袋体の摩耗による破損を防止する技術を提供することを課題とするものである。
【課題を解決するための手段】
【０００４】
上記課題を解決するために、本発明は、第一に、合成繊維ネットを用いてなる袋体であって、中詰め材が充填されている土木工事用袋体において、袋体のうち中詰め材による荷重が直接作用していないネット部分と、中詰め材による荷重が直接作用しているネット部分とを、ロープ状物又はベルト状物を用いて連結して、中詰め材による荷重が直接作用していないネット部分に張力を作用させることにより、中詰め材の袋体内部での移動が抑制されたものであることを特徴とする土木工事用構造体を要旨とする。
【０００５】
第二に、合成繊維ネットを用いてなる袋体であって、中詰め材が充填されている複数の土木工事用袋体において、一の袋体のうち中詰め材による荷重が直接作用していないネット部分と、他の袋体のうち中詰め材による荷重が直接作用しているネット部分とを、ロープ状物又はベルト状物を用いて連結して、上記一の袋体のうち中詰め材による荷重が直接作用していないネット部分に張力を作用させることにより、中詰め材の袋体内部での移動が抑制されたものであることを特徴とする土木工事用構造体を要旨とする。
【０００６】
また、上記の両発明においては、ロープ状物又はベルト状物がネット部分に固定するための治具を両端に有し、かつ、長さを調整可能にするための締め具を装着されてなるものである好ましい態様を含む。
【発明の効果】
【０００７】
本発明の土木工事用構造体は、地面や川底・海底面地面の凹凸に追随できるという土木工事用袋体の特長をそのまま生かすことができ、波浪などによる強い外力に曝される厳しい条件下においても、袋体内に充填されている中詰め材が移動したり、袋体を構成する合成繊維が中詰め材に頻繁に接触、摩耗されることにより袋体が破損するというような事態を防止することができる。しかも、そのような土木工事用構造体を構築するために、従来の一般的な土木工事用袋体を使用することができる。
【発明を実施するための最良の形態】
【０００８】
本発明の土木工事用構造体は、土木工事用袋体を用いて構成される。土木工事用袋体としては、合成繊維ネットを用いて形成された袋体が用いられる。
【０００９】
合成繊維としては、特に限定されるものではないが、例えばポリアミド系、芳香族系ポリエステル系、脂肪族系ポリエステル系、ポリオレフィン系、ポリウレタン系またこれら合成繊維の再生品などを用いることができる。これら合成繊維のうち、耐摩耗性の点ではポリアミド系が、寸法安定性の点ではポリエステル系が、生分解性による使用後の廃棄容易性の点では脂肪族系ポリエステル系が、伸縮性の点ではポリウレタン系が、軽量化の点ではポリオレフィン系が好ましい。したがって、所望の特性に応じて適宜の合成繊維素材を選択し、あるいは組み合わせて使用すればよい。また、合成繊維としては、一般に使用されている難燃剤、着色剤、顔料、滑剤、耐候剤、酸化防止剤や耐熱剤などが適宜添加されていてもよい。
【００１０】
合成繊維の形態としては、長繊維、紡績糸のいずれでもよいが、耐摩耗性や強力の点で長繊維が好ましい。強力としては5cN/dtex以上が好ましく、5cN/dtex未満では中詰め材が土木工事用袋体内に投入された際に衝撃で破損するおそれがある。また、仮撚加工などの加工を施した合成繊維を使用すれば、伸縮性を向上させることができる。
【００１１】
土木工事用袋体を構成する合成繊維ネットの組織としては、地面や川底・海底面地面の凹凸に追随できる程度の柔軟性と、通水性とを兼ね備えていれば、特に限定されるものではないが、柔軟性の点から、ラッセル編、無結節編もしくはかえるまた網などの編物組織が好ましい。ネットの破損のし難さということを考慮すれば、切断箇所が連覇しないラッセル編みで編成されたネットが最も好ましい。
【００１２】
なお、ネットの網目としては、小さすぎると水による抵抗が増し、大きすぎると中詰め材が流出しやすいことから、１０〜１５０ｍｍ程度が好ましい。
【００１３】
本発明の土木工事用構造体においては、土木工事用袋体に砕石などの中詰め材が充填されている。通常、土木工事用袋体に中詰め材を充填するにあたっては、設置時には地面や川底・海底面（以下、地面等ということがある）の凹凸に追随させる必要があることから、袋体内で中詰め材が移動できるようにせねばならない。このため、中詰め材を袋体の容量いっぱいに入れるのではなく、上部に多少の余裕を残して充填する。すると、袋体を地面等に単に設置した場合、袋体を構成するネットのうち、設置した状態で中詰め材が入っている高さまでのネット部分では、中詰め材による荷重が直接作用してネットは緊張状態にある。しかし、袋体の上部においては、袋体を構成するネットに中詰め材による荷重が直接していない部分が存在する、つまりネットが余ったような状態になる。このとき、そのような中詰め材による荷重が直接していないネット部分（以下、弛緩ネット部分ということがある）をそのまま放置しておくと、次のような問題が生じる。すなわち、波浪等によりこの部分が大きく揺動して中詰め材に頻繁に接触するため、摩耗されることにより袋体が破損しやすい。また、袋体が中詰め材をしっかりと拘束していない状態にあるため、波浪等の外力により中詰め材が移動しやすく、設置後に全体の形が崩れたり、摩耗によって袋体が破損したりしやすい。
【００１４】
そのような事態を防ぐために、本発明では、ロープ状物又はベルト状物を用いて、一端を上記の弛緩ネット部分に結合し、強く引張ったうえで、他端を中詰め材の荷重が直接作用しているネット部分に結合することにより、両部分を連結して、弛緩部分に張力を作用させる。これにより袋体全体が緊張した状態となり、中詰め材の袋体内部での移動は抑制され、上記問題の解決が図られるのである。
【００１５】
本発明において、例えば図１に示すように、土木工事用構造体が複数の土木工事用袋体１で構成されている場合には、一の袋体の弛緩部分は、その袋体自身における中詰め材２の荷重が直接作用しているネット部分に連結してもよいが、他の袋体における中詰め材２の荷重が直接作用しているネット部分にロープ状物又はベルト状物３を用いて連結することもできる。そのように、他の袋体と連結することは、複数の袋体から構成される構造体全体の安定性を増すことができるので、本発明の好ましい態様である。なお、図１においては、連結の様子をわかりやすく説明するために、袋体において中詰め材より上部においてネットが余って恰も空間があるような図となっているが、これは実際の状態とはやや異なる。すなわち、実際にロープ状物又はベルト状物を用いて連結し、張力を作用させた後は、余ったネットは下部に引張られており、上記したように袋体全体が緊張した状態となって中詰め材の袋体内部での移動は抑制されている。また、通常袋体に備えられている吊りロープ等は省略してある。これらの点など、図１には厳密にいえば実際の状態と異なっている部分があることを念のため断っておく。
【００１６】
上記した袋体のネット部分同士を連結するためのロープ状物又はベルト状物としては、合成繊維からなるロープやベルトを用いることができる。ロープやベルトを構成する合成繊維の種類としては、特に限定されるものではなく、袋体のネットを構成する合成繊維として既に説明した合成繊維と同様のものを用いればよい。ロープ状物又はベルト状物としては、伸縮性を有するものであれば、張力をかけるのが容易になるので好ましい。そのような伸縮性を有するロープ状物又はベルト状物を構成するには、ポリウレタン系繊維に代表される弾性繊維や、仮撚加工などの加工を施した合成繊維を使用すればよい。
【００１７】
また、ロープ状物又はベルト状物としては、ネット部分への結合を容易にすることができる点で、両端にフック等の固定用治具を備えていることが好ましい。さらには、ロープ状物又はベルト状物には、その長さが調整できるような、バックルやラチェット等の締め具を備えていることも好ましい。
【００１８】
なお、１個の袋体あたり複数本のベルトを使用して、ネット部分の複数箇所を連結してもよいことはいうまでもなく、そのようにして多方向から弛緩ネット部分に張力を作用させることはむしろ好ましい。
【実施例】
【００１９】
次に本発明を実施例によって具体的に説明する。
【００２０】
参考例（土木工事用袋体の製造）
ナイロン黒原着繊維1400dtex／210ｆ（強度6.5cN/dtex）を用いて、72本格によるラッセル網地で網目75mmのネットを構成した。このネットを7.8m×4.7mに裁断したものを2枚重ねにして、約3.9×4.7mになるように2つ折りにし、2つ折り部に対向する辺を開口部として残して側部の2辺を縫合し、巾着袋になるように束ねて結縛した。次に、開口部の全周に沿って、開口部より3目下部の網目に、口縛りロープとして太さ6mmのナイロンロープ（引張強力：0.75t）を挿通した。また、同様に開口部の全周に沿って、開口部から5目下部の網目に、吊りロープとして太さ30mmのポリエステルロープ（引張強力：15t）を挿通して配設した。このとき、吊りロープには吊りリング（炭素鋼鋼材、内径150mm、厚み38mm）を、袋体開口部に沿って略均等な間隔で6箇所に配置されるよう、吊りロープをリング内に通すことにより設けた。以上のようにして、本発明に使用可能な土木工事用袋体を得た。
【００２１】
実施例1
福井県坂井郡の海岸において、参考例の土木工事用袋体に中詰め材として人頭大（約30〜45cm大）の砕石約8ｔを投入したもの１０袋を、１列に並べて設置し、さらにその上に１０袋をもう１列重ねて設置した。設置後すぐに、両端にフック金具、中心部にラチェットが装着してある長さ６ｍ×幅25mmのポリエステル織物製のベルト（株式会社トーヨーセフティー製No.5010）を１袋あたり10本用いて、各袋体上部の弛緩ネット部分10箇所を、隣接する袋体下部の、砕石による荷重が直接作用しているネット部分と連結することにより、袋体内の砕石が動かないようにまた袋体を構成するネットに遊び（ゆとり）がないようにして、本発明の土木工事用構造体を構築した。
【００２２】
実施例2
ネット部分同士を連結するベルトとして、両端にフック金具が装着してある長さ６ｍ×幅50ｍｍの伸縮性を有するポリウレタン織物製のベルト（ユニマテック株式会社製アイアンラバー）を用いたこと以外は、実施例１と同様にして、本発明の土木工事用構造体を構築した。
【００２３】
比較例
実施例１と同様に砕石を充填した袋体を設置したが、ベルトによる連結は一切行なわなかった。
【００２４】
実施例及び比較例1の施工現場を1年間放置した後に観察したところ、比較例では袋体内の砕石が動いたことにより袋体が破損しており、しかも破損した部分が流失していた。これに対して実施例1及び2では、特に砕石が動いた様子はなく、破損している箇所も見受けられなかった。なお、実施例1及び2の袋体の表面には海草類が繁茂し、自然と一体化している好ましいものであった。
【図面の簡単な説明】
【００２５】
【図１】本発明の土木工事用構造体の一態様の説明図である
【符号の説明】
【００２６】
１  袋体
２  中詰め材
３  ベルト
【図１】
2006097362.tif 000003